(57)【特許請求の範囲】
【請求項１】
床上に立てられるフレーム（１）の側方に突出する状態に上下にスイング可能なアーム（２）を設けるとともに、当該アーム（２）の先端又は先端部近傍に押圧子（３）を設け、前記アーム（２）をウエイト（４）により押し下げて前記押圧子（３）をからだの所要の箇所に押し当てることを特徴とする整体用器具であって、前記フレーム（１）には前記アーム（２）をシーソー状態に支持する支持部材（５）を設置し、前記アーム（２）の下面の少なくとも両端間の一部にはラック状プレート（２０）を長さ方向に沿って取り付け、前記支持部材（５）は、前記フレーム（１）へほぼ垂直に設置された少なくとも一対のガイドポスト（６，６）へスライド可能に取り付けられ、当該支持部材（５）を少なくとも一方のガイドポスト（６）に止めるロック手段（５１）と、前記アーム（２）の下面のラック状プレート（２０）の任意の凹部（２１）へ係合される爪片（５２）とを備え、前記ガイドポスト（６）がルーズに貫通する収容ケース（５０）を有し、前記ロック手段（５１）は、前記収容ケース（５０）内に設置された梃子状板（５３）と当該梃子状板（５３）を作動させるカム（５４）とから構成され、
前記梃子状板（５３）は、一方のガイドポスト（６）がルーズに挿通される貫通孔（５３ａ）を有し、一端部を中心として前記一方のガイドポスト（６）が前記貫通孔（５３ａ）に対してルーズなロック解除状態から当該ガイドポスト（６）が前記貫通孔（５３ａ）内にロックされるロック状態まで傾斜する範囲を揺動可能であって、常時解放状態に復帰する方向へばね付勢されており、
前記カム（５４）は、前記収容ケース（５０）外に突出した軸（５４ａ）の端部の操作片（５４ｂ）を操作して所定角度正逆に回転させることにより、前記梃子状板（５３）を前記揺動範囲内で揺動させる整体用器具。
【発明の詳細な説明】
【技術分野】
【０００１】
本発明は、ヒトの骨の歪みを矯正する整体用器具に関するものである。
【背景技術】
【０００２】
大きくなった脳を支えるため二足歩行をするようになったヒトのからだは、衝撃を受けると骨折などを防ぐために脳を支点として全体でバランスをとる（衝撃を吸収する）ようになっており、そのため背骨だけでなく全身の骨に歪みが生じ易い。
したがって、歪みそのものは衝撃に対する骨格の健全な反応であるが、歪みが残るとその箇所に応じた痛みや疾病の原因となるので、それらの痛みや疾病を治癒させるためには、その原因となっている骨の歪みを正常に戻すように矯正すること（整体）が必要とされる。
【０００３】
従来の整体術ないし整体器具では、背骨や間接などの引き伸ばしが行われており、その場合には急激に所定の力を加える（骨が正常に復する際に例えば「ボキッ」というような音を発する）ことが多い。
しかしながら、骨の歪み部分に急激な力を加えると骨は一旦正常状態にもどるけれども、骨と骨の間にある軟骨は矯正され難いため骨の矯正状態が持続しない。整体では軟骨の矯正が重要である（骨が歪むと軟骨も歪み、歪んだ軟骨が神経を圧迫して痛みを生じ器官の働きを悪くする。）との発明者らの知見によれば、整体用器具はある程度の時間をかけて徐々に（じんわりと）、無理のないように、軟骨も含めて骨を正常な位置にもどすように力を作用させるのが好ましい。
【０００４】
前述のように時間をかけて理想的な状態で背骨を矯正するものとして、仰臥状態又は椅子に座した状態において、表面を背中と腰に適合する立体曲面に形成したプラスチックの硬質板からなり、体重によって脊椎を矯正するようにした整体型が提案されている（後記特許文献１を参照）。しかし、この整体型は背中全体に面で力を加えるために矯正され難いとともに、やはり軟骨が矯正されない難点がある。
【特許文献１】特開２０００−１１６６８４号公報
【特許文献２】特開平９−１０２４７号公報
【特許文献３】特開２００２−８５４９５号公報
【発明の開示】
【発明が解決しようとする課題】
【０００５】
本発明の解決課題は、歪みのある骨を軟骨も含めて時間をかけて正常な位置にもどすことにより、簡単には歪まない健全な骨格構造とすることができる整体用器具を提供することである。
【課題を解決するための手段】
【０００６】
本発明に係る整体用器具は、床上に立てられるフレーム１の側方に突出する状態に上下にスイング可能なアーム２を設けるとともに、当該アーム２の先端又は先端部近傍に押圧子３を設け、前記アーム２をウエイト４により押し下げて前記押圧子３をからだの所要の箇所に押し当てることを特徴とする整体用器具であって、前記フレーム１には前記アーム２をシーソー状態に支持する支持部材５を設置し、前記アーム２の下面の少なくとも両端間の一部にはラック状プレート２０を長さ方向に沿って取り付け、前記支持部材５は、前記フレーム１へほぼ垂直に設置された少なくとも一対のガイドポスト６，６へスライド可能に取り付けられ、当該支持部材５を少なくとも一方のガイドポスト６に止めるロック手段５１と、前記アーム２の下面のラック状プレート２０の任意の凹部２１へ係合される爪片５２とを備え、前記ガイドポスト６がルーズに貫通する収容ケース５０を有し、前記ロック手段５１は、前記収容ケース５０内に設置された梃子状板５３と当該梃子状板５３を作動させるカム５４とから構成され、前記梃子状板５３は、一方のガイドポスト６がルーズに挿通される貫通孔５３ａを有し、一端部を中心として前記一方のガイドポスト６が前記貫通孔５３ａに対してルーズなロック解除状態から当該ガイドポスト６が前記貫通孔５３ａ内にロックされるロック状態まで傾斜する範囲を揺動可能であって、常時解放状態に復帰する方向へばね付勢されており、前記カム５４は、前記収容ケース５０外に突出した軸５４ａの端部の操作片５４ｂを操作して所定角度正逆に回転させることにより、前記梃子状板５３を前記揺動範囲内で揺動させることを特徴としている。
【発明の効果】
【０００７】
本発明に係る整体用器具によれば、矯正を行う骨の位置に応じて整体を受ける人をベッド上にうつ伏せ状態又は仰臥状態とし、その状態で骨がからだの表面側に歪んでいるか斜めに歪んでいる部分に前記押圧子を押し当て、この状態を所定時間（例えば２０分）持続する。所定時間経過後骨の歪みがもどっていれば別の歪みのある部分に移る。前記所定時間が経過する前に痛みを感じたときは、歪みが既に矯正されているので別の歪みがある部分に移る。このようにして軟骨を含む（但し、骨相互の間に軟骨がある場合）骨の歪みを徐々に正常な状態にもどすことにより、簡単には歪まない（歪みがもどりにくい）健全な骨格構造とすることができる。この整体用器具は、股関節，仙骨，腰椎，胸椎，助骨，頚椎，後頭骨の歪みを矯正するのに適する。
ウエイトは整体を受ける人に合わせて選択することができる。
【発明を実施するための最良の形態】
【０００８】
図１は本発明に係る整体用器具の実施形態を示す一部省略斜視図、図２は図１の矢印Ａ方向から見た支持部材とその周辺部分の部分拡大縦断面図（支持部材のロック解除状態）、図３は図２と同様な図で支持部材がロック状態である部分拡大縦断面図、図４は図３の矢印Ｂ−Ｂに沿う断面図である。
【０００９】
１は床上に垂直に立てられるフレームであり、同じ間隔で垂直に配置されたアルミ合金製の角パイプからなる対の支柱１０，１０と、他の同様な材質及び構造の対の支柱１１，１１とを、アルミ合金製の角パイプからなる複数の連結バー１２で溶接により連結して構成している。各連結バー１２は各対の支柱１０相互及び支柱１１相互のスぺーサを兼ねている。各支柱１０，１１及び各連結バー１２の両端部は、アルミ合金製のブロックにより封止されている。
フレーム１の下部には、両側部に突出した状態で下方に曲げられた脚１３，１３及び１４，１４が取り付けられている。各脚１３と１４は、アルミ合金製の二本のパイプを左右対称に曲げ加工したもので、脚１４相互の下端はプレートで連結され、水平部相互を連結する連結板（図示しない）の上にフレーム１が載せられた状態で複数のねじにより取り付けられている。図１の左側の脚１３，１３の上部は水平方向へ末広がり状に曲げられており、当該各脚１３，１３の下端部にはキャスタ１３ａがそれぞれ取り付けられ、フレーム１は、左側へ倒して脚１４，１４を床面から浮かせた状態で簡単に移動させることができるように構成されている。
【００１０】
フレーム１には、一方の側部の支柱１１，１１の間から端部が側方へ突出した状態にスイング可能なアーム２を設置し、当該アーム２の先端又は先端部近傍には押圧子３を取り付け、アーム２をその先端部に取り付けたウエイト受け４０上に載せたウエイト４により押し下げ、前記押圧子３をからだの所要の箇所に押し当てるように構成している。なお、ウエイト４はアーム2へ吊り下げるか、あるいはアーム2の下面に取り付けて使用することもできる。
押圧子３は、円板状（又はボール状）であって下向きの取付ピン３０を介してアーム２へ交換可能に取り付けられている。押圧子３は、骨の歪み部分へ押し当てられるので円板である場合は取付ピン３０の下端へ水平方向に回転できるように取り付けるのが好ましい。
【００１１】
この実施形態において、アーム２は両端部が支柱１０相互の間及び支柱１１相互の間から所定長さ突出し、フレーム１の支柱１１，１１側に取り付けられた支持部材５によりシーソー状に支持されている。
一方の支柱１１，１１の他方の支柱１０，１０との対向面側には、上下方向に所定の間隔を置いて取付板６０，６１が取り付けられ、各取付板６０，６１には互いに平行でアーム２の両側に離れて位置するように一対のガイドポスト６，６が垂直に取り付けられている。前記支持部材５は、ガイドポスト６，６へスライド可能に取り付けられており、当該支持部材５を一方のガイドポスト６へ止めるロック手段５１（図２〜図４）を備えている。
図２〜図４で示すように、アーム２の長さ方向の中央部分の所定長さ範囲には、下面に当該アーム２の幅よりも狭い幅のラック状プレート２０が取り付けられている。他方、支持部材５は上部にアーム２の下面のラック状プレート２０の任意の凹部２１へ係合される（図４）爪片５２を有している。したがってアーム２は、前記爪片５２がラック状プレート２０のいずれかの凹部２１へ係合された図３及び図４の状態で、当該爪片５２へシーソー状に支持される。
【００１２】
支持部材５は、垂直方向にスライドできるように両端部にガイドポスト６，６がルーズに貫通する角筒状の収容ケース５０を有しており、梃子状板５３と当該梃子状板５３を作動させるカム５４とからなるロック手段５１は、収容ケース５０の内部に取り付けられている。カム５４の軸５４ａの一端部は収容ケース５０から突出しており、当該端部にはノブからなる操作片５４ｂが取り付けられている。
収容ケース５０内の片端部には、当該収容ケース５０のスライドを円滑にするとともに梃子状板５３を安定させる調整ブロック５５が、収容ケース５０の内底部から所定量浮上する状態に取り付けられており、一方のガイドポスト６は調整ブロック５５をルーズに貫通している。
【００１３】
図２〜図４で示すように、収容ケース５０の上には、アーム２が外れない状態で長さ方向へ可動に案内されるガイド孔５６ａを有するガイド枠５６が、収容ケース５０を下方よりルーズに貫通した二つのボルト５７，５７ａによって取り付けられ、さらに前記爪片５２がガイド枠５６に沿って直立するように取り付けられている。
ガイド枠５６の基部と収容ケース５０に形成された垂直方向のガイド孔には、上端部がアーム２の方向に突き出す昇降可能な押上げ片５８が設置されており、この押上げ片５８はカム５４の回転により昇降する。
図２及び図３で示すように、梃子状板５３の一端部には一方のガイドポスト６がルーズに挿通すされる貫通孔５３ａが形成されている。この梃子状板５３はカム５４の回転により、調整ブロック５５の下面に接触している一端を中心として、一方のガイドポスト６が貫通孔５３ａに対してルーズなロック解除状態（図２）から、当該ガイドポスト６が貫通孔５３ａ内に締め付けられるロック状態（図３）になるまでの範囲を揺動する。
【００１４】
梃子状板５３は、一方のボルト５７の基部に装着されたばね５３ｂにより、ロック解除状態となる方向へ常時付勢されており、図２の状態からカム５４を時計方向に１９０度程度回転させると、図３の状態に揺動してケース５０を含む支持部材５は一方のガイドポスト６にロックされる。同時に、カム５４により上昇していた押上げ片５８が下降するとともに、当該押上げ片５８の両端部５８ａにより押し上げられていたアーム２が下降し、当該アーム２は、その下面に取り付けられているラック状プレート２０のいずれかの凹部２１に爪片５２の上端が係合するので、当該爪片５２によりシーソー状に支持される。
【００１５】
アーム２のレベルを再度調整するときは、アーム２又は収容ケース５０を掴んで図３の状態からカム５４を反時計方向へ１９０度程度回転させ、図２のように一方のガイドポスト６に対する梃子状板５３の締め付けをなくし、収容ケース５０を含む支持部材５の当該ガイドポスト６に対するロックを解除する。このとき、カム５４の回転により押上げ片５８が上昇し、アーム２はその両端部５８ａにより押し上げられるので支持部材５の爪片５２から離れて浮上する。
【００１６】
支柱１０，１０の間でアーム２がシーソー状にスイングし、その際アーム２の両側面と支柱１０，１０の対向面とは摩擦するので、両者の磨耗を防止するため支柱１０，１０の対向面にはプラスチックからなる低摩擦性シート１０ａがそれぞれ接着してある。
【００１７】
整体用器具は、整体を受ける人に例えば脊柱の骨（頚椎、胸椎、腰椎、仙骨等）に後方への又は斜めの歪みが認められる場合に、その人をベッドの上にうつ伏せにさせ、押圧子３が背骨の上方に位置する状態にフレーム１を移動させる。ガイドポスト６に対する支持部材５のロックを解除し、アーム２のレベルを調整して支持部材５をガイドポスト６にロックする。アーム２の突出長さが適当でないときは、アーム２を持上げてその突出長さを調整する。
この状態でその人の体に合わせて適切な重量のウエイト４を選び、押圧子３を歪みのある骨の上に接触させ、前記ウエイト４をアーム２の上にセットして押圧子３を患部に所定時間押し当てて骨の歪みを矯正する。矯正は一気にではなく無理のないように徐々に時間をかけて行われるため、軟骨が安定して骨は正常な状態にもどり、簡単には歪まない健全な骨格構造となる。
【００１８】
アーム２のレベルの調整のためのガイドポスト６に対する支持部材５のロック解除やロック、及び当該支持部材５の爪片５２によるアーム２の支点支持は、カム５４の回転により極めて簡単に行うことができる。
アーム２の突出長さの調整も極めて簡単である。
【００１９】
また、押圧子３は図５のような形態に構成することができる。
【図面の簡単な説明】
【００２０】
【図１】本発明に係る整体用器具の実施形態を示す一部省略斜視図である。
【図２】図１の矢印Ａ方向から見た支持部材とその周辺部分の部分拡大縦断面図（支持部材のロック解除状態）である。
【図３】図２と同様な図で支持部材がロック状態である部分拡大縦断面図である。
【図４】図３の矢印Ｂ−Ｂに沿う断面図である。
【図５】押圧子の変形形態を示す正面図である。
【符号の説明】
【００２１】
１  フレーム
１０，１１  支柱
１２  連結バー
１３，１４  脚
２  アーム
２０  ラック状プレート
２１  凹部
３  押圧子
４  ウエイト
５  支持部材
５０  収容ケース
５１  ロック手段
５２  爪片
５３  梃子状板
５３ａ  貫通孔
５３ｂ  ばね
５４  カム
５４ａ  軸
６  ガイドポスト
【図１】
0004519502.tif 000002
【図２】
0004519502.tif 000003
【図３】
0004519502.tif 000004
【図４】
0004519502.tif 000005
【図５】
0004519502.tif 000006